(57)【要約】      （修正有）【課題】サーバから配信されたコンテンツから、ユーザ嗜好に基づく最適な要約を容易に作成することのできるコンテンツ視聴装置を提供する。【解決手段】コンテンツ要約作成部１３は、要約関連情報記憶部１２に記憶されたコンテンツ記述２１とユーザ嗜好記述２２とに基づいて要約作成テーブル２３を作成し、要約記述を作成する。ユーザ嗜好記述作成部１５は、要約記述の情報が無い場合などに、コンテンツ記述２１やユーザ嗜好記述２２に記述されたキーワードに関するユーザの嗜好度を設定するためのユーザ嗜好設定画面を情報表示部１６に表示し、このユーザ嗜好設定画面によるユーザからのユーザ嗜好設定入力を受けてユーザ嗜好記述の作成、変更を行う。コンテンツ再生部１４は、要約作成テーブル２３に基づく要約記述によってコンテンツ記憶部１１からコンテンツ１１１の選択シーンを読み出し、情報表示部１６に出力して再生する。【選択図】図１
2005242417.tif 000002
【特許請求の範囲】
【請求項１】
サーバから配信された複数のシーンにより構成されたコンテンツを受信し再生するコンテンツ視聴装置であって、
前記シーン毎のコンテンツ内容を表すキーワード（観点）とその重要度を記述したコンテンツ記述とユーザ嗜好を表すキーワードとその嗜好度からなるユーザ嗜好記述とを記憶する記憶手段と、
前記記憶手段より前記コンテンツ記述と前記ユーザ嗜好記述とを取得し、これらの記述に基づき前記コンテンツの要約記述を作成する要約作成手段と、
前記作成されたコンテンツの要約記述または前記コンテンツ記述に基づいてコンテンツを再生するコンテンツ再生手段と、
前記コンテンツ記述及び前記ユーザ嗜好記述の記述内容に基づいて、キーワードおよびキーワードに対するユーザの嗜好度を設定するための嗜好度設定欄を有するユーザ嗜好設定画面を表示部に表示し、前記ユーザ嗜好設定画面に対する入力部からの入力に応じて前記キーワードおよび嗜好度の情報を含むユーザ嗜好記述の変更を行うユーザ嗜好記述作成手段と、
を備えるコンテンツ視聴装置。
【請求項２】
請求項１に記載のコンテンツ視聴装置であって、
前記ユーザ嗜好記述作成手段は、前記コンテンツ記述のキーワード（観点）に基づいて、キーワードに対するユーザの嗜好度を設定するための嗜好度設定欄を有するユーザ嗜好設定画面を表示部に表示し、前記キーワードに対する嗜好度の関係の入力に応じてユーザ嗜好記述の新規作成を行うコンテンツ視聴装置。
【請求項３】
請求項１または２に記載のコンテンツ視聴装置であって、
前記ユーザ嗜好記述作成手段は、前記ユーザ嗜好設定画面を表示部に表示する際に、前記コンテンツ記述のキーワード（観点）とその重要度に基づいて、前記重要度の高い順にキーワードを配置した嗜好度設定欄を表示するコンテンツ視聴装置。
【請求項４】
請求項１に記載のコンテンツ視聴装置であって、
前記ユーザ嗜好記述は、ユーザの希望視聴時間の情報を含み、
前記ユーザ嗜好記述作成手段は、前記作成されたコンテンツの要約に関する要約再生時間と前記希望視聴時間との差が所定値以上の場合に、前記ユーザ嗜好設定画面を表示部に表示するコンテンツ視聴装置。
【請求項５】
請求項１に記載のコンテンツ視聴装置であって、
前記ユーザ嗜好記述作成手段は、表示部において前記ユーザ嗜好設定画面を表示させるための設定画面切替ボタンを表示し、前記設定画面切替ボタンに対する入力部からの入力があった場合に前記ユーザ嗜好設定画面を表示部に表示するコンテンツ視聴装置。
【請求項６】
請求項１乃至５のいずれかに記載のコンテンツ視聴装置であって、
前記ユーザ嗜好記述作成手段は、前記ユーザ嗜好設定画面に、ユーザ嗜好の設定対象となるキーワードを並べて表示するキーワード表示欄を設け、前記キーワード表示欄に前記コンテンツ記述に記述されたキーワードと前記ユーザ嗜好記述に記述されたキーワードの少なくとも一方を表示するコンテンツ視聴装置。
【請求項７】
請求項６に記載のコンテンツ視聴装置であって、
前記ユーザ嗜好記述作成手段は、前記ユーザ嗜好設定画面の前記キーワード表示欄において、前記コンテンツ記述と前記ユーザ嗜好記述の両方に記述されたキーワード、前記コンテンツ記述のみに記述されたキーワード、前記ユーザ嗜好記述のみに記述されたキーワードに各キーワードを分類して表示するコンテンツ視聴装置。
【請求項８】
請求項１乃至３、請求項６，７のいずれかに記載のコンテンツ視聴装置であって、
前記ユーザ嗜好記述作成手段は、前記ユーザ嗜好設定画面に、ユーザ嗜好の設定対象となるキーワードをユーザに選択させるための選択欄を前記嗜好度設定欄と対応づけて設けて表示し、前記選択欄に対する入力部からの入力に応じて選択されたキーワードの情報を前記ユーザ嗜好記述に含めるコンテンツ視聴装置。
【請求項９】
請求項１乃至３、請求項６乃至８のいずれかに記載のコンテンツ視聴装置であって、
前記ユーザ嗜好記述作成手段は、前記ユーザ嗜好設定画面に、前記コンテンツの要約の希望視聴時間を入力させるための希望視聴時間設定欄を設けて表示し、前記希望視聴時間設定欄に対する入力部からの入力に応じて希望視聴時間の情報を前記ユーザ嗜好記述に含めるコンテンツ視聴装置。
【請求項１０】
請求項１乃至３、請求項６乃至９のいずれかに記載のコンテンツ視聴装置であって、
前記ユーザ嗜好記述作成手段は、前記ユーザ嗜好設定画面または前記コンテンツの要約再生画面に、前記ユーザ嗜好記述に基づき作成されるコンテンツの要約に関する要約再生時間を表示するコンテンツ視聴装置。
【請求項１１】
請求項１乃至３、請求項６乃至１０のいずれかに記載のコンテンツ視聴装置であって、
前記ユーザ嗜好記述作成手段は、前記ユーザ嗜好設定画面または前記コンテンツの要約再生画面に、前記ユーザ嗜好記述に基づき作成されるコンテンツの要約における再生シーンの位置または数を表示するコンテンツ視聴装置。
【請求項１２】
請求項１乃至１１のいずれかに記載のコンテンツ視聴装置であって、
前記要約作成手段は、前記コンテンツ記述と前記ユーザ嗜好記述とに基づいて求められるコンテンツのシーン毎のシーン優先度と、前記シーン優先度とユーザの希望視聴時間とに基づいて選択される選択シーンとを含む要約作成テーブルを作成し、この要約作成テーブルに基づいて前記コンテンツの要約記述を作成するコンテンツ視聴装置。
【請求項１３】
請求項１２に記載のコンテンツ視聴装置であって、
前記ユーザ嗜好記述作成手段は、前記ユーザ嗜好設定画面または前記コンテンツの要約再生画面に、前記コンテンツの要約の要約再生時間を変更するための要約時間変更ボタンを表示し、
前記要約作成手段は、前記要約時間変更ボタンに対する入力部からの入力があった場合に、この要約時間変更指示入力に応じて前記選択シーンを増減することで、前記要約再生時間を増減させるコンテンツ視聴装置。
【請求項１４】
請求項１３に記載のコンテンツ視聴装置であって、
前記ユーザ嗜好記述作成手段は、前記ユーザ嗜好設定画面または前記コンテンツの要約再生画面に、前記コンテンツの要約における選択シーンの合計再生時間を示す要約再生時間表示欄を表示し、前記要約再生時間の変更がなされたときに前記要約再生時間表示欄を更新するコンテンツ視聴装置。
【請求項１５】
請求項１３，１４のいずれかに記載のコンテンツ視聴装置であって、
前記ユーザ嗜好記述作成手段は、前記ユーザ嗜好設定画面または前記コンテンツの要約再生画面に、前記コンテンツの要約における選択シーンの位置または数を示す再生シーン表示欄を表示し、前記要約再生時間の変更がなされたときに前記再生シーン表示欄を更新するコンテンツ視聴装置。
【請求項１６】
サーバから配信された複数のシーンにより構成されたコンテンツを受信し再生するコンテンツ視聴装置におけるコンテンツ要約作成方法であって、
前記シーン毎のコンテンツ内容を表すキーワード（観点）とその重要度を記述したコンテンツ記述とユーザ嗜好を表すキーワードとその嗜好度からなるユーザ嗜好記述とを記憶する記憶ステップと、
前記記憶された前記コンテンツ記述と前記ユーザ嗜好記述を取得し、これらの記述に基づき前記コンテンツの要約記述を作成する要約作成ステップと、
前記コンテンツ記述及び前記ユーザ嗜好記述の記述内容に基づいて、キーワードおよびキーワードに対するユーザの嗜好度を設定するための嗜好度設定欄を有するユーザ嗜好設定画面を表示部に表示し、前記ユーザ嗜好設定画面に対する入力部からの入力に応じて前記キーワードおよび嗜好度の情報を含むユーザ嗜好記述の変更を行うユーザ嗜好記述作成ステップと、
を有するコンテンツ要約作成方法。
【請求項１７】
請求項１６に記載のコンテンツ要約作成方法であって、
前記ユーザ嗜好記述作成ステップにおいて、前記コンテンツ記述のキーワード（観点）に基づいて、キーワードに対するユーザの嗜好度を設定するための嗜好度設定欄を有するユーザ嗜好設定画面を表示部に表示し、前記キーワードに対する嗜好度の関係の入力に応じてユーザ嗜好記述の新規作成を行うコンテンツ要約作成方法。
【請求項１８】
請求項１６に記載のコンテンツ要約作成方法であって、
前記ユーザ嗜好記述は、ユーザの希望視聴時間の情報を含み、
前記ユーザ嗜好記述作成ステップにおいて、前記作成されたコンテンツの要約に関する要約再生時間と前記希望視聴時間との差が所定値以上の場合に、前記ユーザ嗜好設定画面を表示部に表示するコンテンツ要約作成方法。
【請求項１９】
請求項１６に記載のコンテンツ要約作成方法であって、
前記要約作成ステップにおいて、前記コンテンツ記述と前記ユーザ嗜好記述とに基づいて求められるコンテンツのシーン毎のシーン優先度と、前記シーン優先度とユーザの希望視聴時間とに基づいて要約として再生するよう選択される選択シーンとを含む要約作成テーブルを作成し、この要約作成テーブルに基づいて前記コンテンツの要約を作成するコンテンツ要約作成方法。
【請求項２０】
請求項１９に記載のコンテンツ要約作成方法であって、
前記ユーザ嗜好記述作成ステップにおいて、前記ユーザ嗜好設定画面または前記コンテンツの要約再生画面に、前記コンテンツの要約の要約再生時間を変更するための要約時間変更ボタンを表示し、
前記要約作成ステップにおいて、前記要約時間変更ボタンに対する入力部からの入力があった場合に、この要約時間変更指示入力に応じて前記選択シーンを増減することで、前記要約再生時間を増減させるコンテンツ要約作成方法。
【請求項２１】
コンピュータに、請求項１６〜２０のいずれかに記載のコンテンツ要約作成方法の各ステップを実行させるためのプログラム。
【発明の詳細な説明】
【技術分野】
【０００１】
本発明は、映像や音声などの時間軸方向の広がりを持つマルチメディアコンテンツからユーザの嗜好に応じた要約を作成し、コンテンツの再生を行うコンテンツ視聴装置及びコンテンツ要約作成方法に関する。
【背景技術】
【０００２】
映像や音声などを含むマルチメディアコンテンツから、ユーザの嗜好に応じた要約を作成するための装置として、複数のユーザ嗜好を記述すると共に、これらのユーザ嗜好間の関係を記述し、複数のユーザ嗜好とユーザ嗜好間の関係を用いて要約を作成するようにした要約作成装置が提案されている（例えば、特許文献１参照）。
【０００３】
また、ユーザの希望視聴時間に応じた要約を作成するものとして、動画像を構成する１画像フレーム単位に優先度を割り当て、ユーザが指定する希望視聴時間となるように、優先度の閾値を決定し、この閾値以上の優先度を持つ画像フレームを選択して要約とする動画像ダイジェスト自動生成方式がある（例えば、特許文献２参照）。
【０００４】
しかしながら、前記特許文献１の従来技術では、ユーザ嗜好に基づいて要約を作成する際に、ユーザの希望視聴時間に応じて、所望の再生時間の要約を簡単に作成や変更等することができなかった。また、所望の要約が作成されない場合などに、ユーザ嗜好を変更するのに手間がかかることがあった。すなわち、ユーザが希望視聴時間を指定したり、ユーザ嗜好の変更を適宜行い、ユーザ嗜好に合った要約を容易に作成することができないという課題を有していた。
【０００５】
また、前記特許文献２の従来技術では、各フレーム毎に優先度を設定されたコンテンツに対して、ユーザが希望視聴時間を指定してから、希望視聴時間に合うように優先度の閾値を計算し、この閾値に基づき画像フレームを選択して要約を作成するような手順であるため、要約の作成に時間を要するという課題を有していた。また、この方式では、フレーム単位の処理であるため、作成された要約が意味的につながっているシーンの途中で途切れてしまい、要約として適さない場合があった。
【０００６】
【特許文献１】特開２００３−８５１９１号公報
【特許文献２】特開平３−９０９６８号公報
【発明の開示】
【発明が解決しようとする課題】
【０００７】
しかしながら従来の技術では、簡易な操作によって、ユーザ嗜好に基づく最適な要約を容易に作成や変更等することができないという課題を有していた。
【０００８】
本発明は、上記事情に鑑みてなされたもので、簡易な操作によって、ユーザ嗜好に基づく最適な要約を容易に作成や変更等することのできるコンテンツ視聴装置及びコンテンツ要約作成方法を提供することを目的とする。
【課題を解決するための手段】
【０００９】
本発明のコンテンツ視聴装置は、サーバから配信された複数のシーンにより構成されたコンテンツを受信し再生するコンテンツ視聴装置であって、前記シーン毎のコンテンツ内容を表すキーワード（観点）とその重要度を記述したコンテンツ記述とユーザ嗜好を表すキーワードとその嗜好度からなるユーザ嗜好記述とを記憶する記憶手段と、前記記憶手段より前記コンテンツ記述と前記ユーザ嗜好記述とを取得し、これらの記述に基づき前記コンテンツの要約記述を作成する要約作成手段と、前記作成されたコンテンツの要約記述または前記コンテンツ記述に基づいてコンテンツを再生するコンテンツ再生手段と、前記コンテンツ記述及び前記ユーザ嗜好記述の記述内容に基づいて、キーワードおよびキーワードに対するユーザの嗜好度を設定するための嗜好度設定欄を有するユーザ嗜好設定画面を表示部に表示し、前記ユーザ嗜好設定画面に対する入力部からの入力に応じて前記キーワードおよび嗜好度の情報を含むユーザ嗜好記述の変更を行うユーザ嗜好記述作成手段と、を備えるものである。
【００１０】
この構成により、ユーザ嗜好設定画面を用いてユーザの嗜好度を設定し、ユーザ嗜好記述の変更を行うことができ、簡易な操作によって、ユーザ嗜好に基づく最適な要約記述を容易に作成、変更等することが可能となる。
【００１１】
また、本発明の一態様として、上記のコンテンツ視聴装置であって、前記ユーザ嗜好記述作成手段は、前記コンテンツ記述のキーワード（観点）に基づいて、キーワードに対するユーザの嗜好度を設定するための嗜好度設定欄を有するユーザ嗜好設定画面を表示部に表示し、前記キーワードに対する嗜好度の関係の入力に応じてユーザ嗜好記述の新規作成を行うものも含まれる。
【００１２】
この構成により、ユーザ嗜好設定画面を用いてユーザの嗜好度を設定し、ユーザ嗜好記述の新規作成を行うことができ、簡易な操作によって、ユーザ嗜好に基づく最適な要約記述を容易に作成、変更等することが可能となる。
【００１３】
また、本発明の一態様として、上記のコンテンツ視聴装置であって、前記ユーザ嗜好記述作成手段は、前記ユーザ嗜好設定画面を表示部に表示する際に、前記コンテンツ記述のキーワード（観点）とその重要度に基づいて、前記重要度の高い順にキーワードを配置した嗜好度設定欄を表示するものも含まれる。
【００１４】
この構成により、ユーザ嗜好設定画面において重要度の高い順にキーワードを設定することが可能となる。
【００１５】
また、本発明の一態様として、上記のコンテンツ視聴装置であって、前記ユーザ嗜好記述は、ユーザの希望視聴時間の情報を含み、前記ユーザ嗜好記述作成手段は、前記作成されたコンテンツの要約に関する要約再生時間と前記希望視聴時間との差が所定値以上の場合に、前記ユーザ嗜好設定画面を表示部に表示するものも含まれる。
【００１６】
この構成により、例えば、作成された要約の情報が空（要約再生時間が０）であったり、作成された要約の要約再生時間とユーザの希望視聴時間とに大きな差があるなど、要約再生時間と希望視聴時間との差が所定値以上の場合に、ユーザ嗜好設定画面が自動的に表示されるため、このユーザ嗜好設定画面を用いてユーザ嗜好記述の作成や変更を容易に行うことができ、ユーザ嗜好に基づく最適な要約を容易に作成可能となる。
【００１７】
また、本発明の一態様として、上記のコンテンツ視聴装置であって、前記ユーザ嗜好記述作成手段は、表示部において前記ユーザ嗜好設定画面を表示させるための設定画面切替ボタンを表示し、前記設定画面切替ボタンに対する入力部からの入力があった場合に前記ユーザ嗜好設定画面を表示部に表示するものも含まれる。
【００１８】
この構成により、例えば、ユーザが設定画面切替ボタンを操作した場合に、操作入力に応じてユーザ嗜好設定画面が表示されるため、このユーザ嗜好設定画面を用いてユーザ嗜好記述の作成や変更を容易に行うことができ、ユーザ嗜好に基づく最適な要約を容易に作成可能となる。
【００１９】
また、本発明の一態様として、上記のコンテンツ視聴装置であって、前記ユーザ嗜好記述作成手段は、前記ユーザ嗜好設定画面に、ユーザ嗜好の設定対象となるキーワードを並べて表示するキーワード表示欄を設け、前記キーワード表示欄に前記コンテンツ記述に記述されたキーワードと前記ユーザ嗜好記述に記述されたキーワードの少なくとも一方を表示するものも含まれる。
【００２０】
この構成により、ユーザがユーザ嗜好設定画面におけるキーワード表示欄を見ながら、コンテンツ記述とユーザ嗜好記述に関連するキーワードに対して、簡易な操作でユーザ嗜好を設定することが可能となる。
【００２１】
また、本発明の一態様として、上記のコンテンツ視聴装置であって、前記ユーザ嗜好記述作成手段は、前記ユーザ嗜好設定画面の前記キーワード表示欄において、前記コンテンツ記述と前記ユーザ嗜好記述の両方に記述されたキーワード、前記コンテンツ記述のみに記述されたキーワード、前記ユーザ嗜好記述のみに記述されたキーワードに各キーワードを分類して表示するものも含まれる。
【００２２】
この構成により、ユーザ嗜好設定画面におけるキーワード表示欄の視認性が向上するため、操作性をさらに向上でき、コンテンツ記述とユーザ嗜好記述に関連するキーワードに対して、簡易な操作でユーザ嗜好を設定することが可能となる。
【００２３】
また、本発明の一態様として、上記のコンテンツ視聴装置であって、前記ユーザ嗜好記述作成手段は、前記ユーザ嗜好設定画面に、ユーザ嗜好の設定対象となるキーワードをユーザに選択させるための選択欄を前記嗜好度設定欄と対応づけて設けて表示し、前記選択欄に対する入力部からの入力に応じて選択されたキーワードの情報を前記ユーザ嗜好記述に含めるものも含まれる。
【００２４】
この構成により、ユーザがユーザ嗜好設定画面における選択欄によって所望のキーワードを容易に選択できるため、簡単な操作でユーザ嗜好を設定することが可能となる。
【００２５】
また、本発明の一態様として、上記のコンテンツ視聴装置であって、前記ユーザ嗜好記述作成手段は、前記ユーザ嗜好設定画面に、前記コンテンツの要約の希望視聴時間を入力させるための希望視聴時間設定欄を設けて表示し、前記希望視聴時間設定欄に対する入力部からの入力に応じて希望視聴時間の情報を前記ユーザ嗜好記述に含めるものも含まれる。
【００２６】
この構成により、ユーザがユーザ嗜好設定画面における希望視聴時間設定欄によって希望視聴時間を容易に設定でき、簡単な操作でユーザ嗜好を設定してユーザの希望視聴時間に応じた最適な要約を作成可能となる。
【００２７】
また、本発明の一態様として、上記のコンテンツ視聴装置であって、前記ユーザ嗜好記述作成手段は、前記ユーザ嗜好設定画面または前記コンテンツの要約再生画面に、前記ユーザ嗜好記述に基づき作成されるコンテンツの要約に関する要約再生時間を表示するものも含まれる。
【００２８】
この構成により、要約再生時間の表示によってユーザがコンテンツの要約の再生時間を容易に確認することが可能となる。
【００２９】
また、本発明の一態様として、上記のコンテンツ視聴装置であって、前記ユーザ嗜好記述作成手段は、前記ユーザ嗜好設定画面または前記コンテンツの要約再生画面に、前記ユーザ嗜好記述に基づき作成されるコンテンツの要約における再生シーンの位置または数を表示するものも含まれる。
【００３０】
この構成により、要約における再生シーンの位置または数の表示によってユーザがコンテンツの要約において再生されるシーンや時間を容易に確認することが可能となる。
【００３１】
また、本発明の一態様として、上記のコンテンツ視聴装置であって、前記要約作成手段は、前記コンテンツ記述と前記ユーザ嗜好記述とに基づいて求められるコンテンツのシーン毎のシーン優先度と、前記シーン優先度とユーザの希望視聴時間とに基づいて選択される選択シーンとを含む要約作成テーブルを作成し、この要約作成テーブルに基づいて前記コンテンツの要約記述を作成するものも含まれる。
【００３２】
この構成により、シーン優先度と選択シーンとを含む要約作成テーブルを作成することによって、要約作成テーブルにおいて選択シーンを後で柔軟に変更可能となり、簡単に要約記述の作成や変更等を行うことができるようになる。
【００３３】
また、本発明の一態様として、上記のコンテンツ視聴装置であって、前記ユーザ嗜好記述作成手段は、前記ユーザ嗜好設定画面または前記コンテンツの要約再生画面に、前記コンテンツの要約の要約再生時間を変更するための要約時間変更ボタンを表示し、前記要約作成手段は、前記要約時間変更ボタンに対する入力部からの入力があった場合に、この要約時間変更指示入力に応じて前記選択シーンを増減することで、前記要約再生時間を増減させるものも含まれる。
【００３４】
この構成により、ユーザが要約時間変更ボタンによって要約時間の変更を指示し、キーワードに対する嗜好度を変更するなどの要約作成テーブルを再作成するような煩雑な処理の必要無く、選択シーンの増減のみの簡易な処理で要約再生時間を変更することが可能となる。
【００３５】
また、本発明の一態様として、上記のコンテンツ視聴装置であって、前記ユーザ嗜好記述作成手段は、前記ユーザ嗜好設定画面または前記コンテンツの要約再生画面に、前記コンテンツの要約における選択シーンの合計再生時間を示す要約再生時間表示欄を表示し、前記要約再生時間の変更がなされたときに前記要約再生時間表示欄を更新するものも含まれる。
【００３６】
この構成により、要約再生時間を変更する際に、要約再生時間表示欄を更新することによってユーザが変更後の要約の再生時間を容易に確認することが可能となる。
【００３７】
また、本発明の一態様として、上記のコンテンツ視聴装置であって、前記ユーザ嗜好記述作成手段は、前記ユーザ嗜好設定画面または前記コンテンツの要約再生画面に、前記コンテンツの要約における選択シーンの位置または数を示す再生シーン表示欄を表示し、前記要約再生時間の変更がなされたときに前記再生シーン表示欄を更新するものも含まれる。
【００３８】
この構成により、要約再生時間を変更する際に、再生シーン表示欄を更新することによってユーザが変更後の要約において再生されるシーンや時間を容易に確認することが可能となる。
【００３９】
本発明のコンテンツ要約作成方法は、サーバから配信された複数のシーンにより構成されたコンテンツを受信し再生するコンテンツ視聴装置におけるコンテンツ要約作成方法であって、前記シーン毎のコンテンツ内容を表すキーワード（観点）とその重要度を記述したコンテンツ記述とユーザ嗜好を表すキーワードとその嗜好度からなるユーザ嗜好記述とを記憶する記憶ステップと、前記記憶された前記コンテンツ記述と前記ユーザ嗜好記述を取得し、これらの記述に基づき前記コンテンツの要約記述を作成する要約作成ステップと、前記コンテンツ記述及び前記ユーザ嗜好記述の記述内容に基づいて、キーワードおよびキーワードに対するユーザの嗜好度を設定するための嗜好度設定欄を有するユーザ嗜好設定画面を表示部に表示し、前記ユーザ嗜好設定画面に対する入力部からの入力に応じて前記キーワードおよび嗜好度の情報を含むユーザ嗜好記述の変更を行うユーザ嗜好記述作成ステップと、を有するものである。
【００４０】
この手順により、ユーザ嗜好設定画面を用いてユーザの嗜好度を設定し、ユーザ嗜好記述の変更を行うことができ、簡易な操作によって、ユーザ嗜好に基づく最適な要約を容易に作成、変更等することが可能となる。
【００４１】
また、本発明の一態様として、上記のコンテンツ要約作成方法であって、前記ユーザ嗜好記述作成ステップにおいて、前記コンテンツ記述のキーワード（観点）に基づいて、キーワードに対するユーザの嗜好度を設定するための嗜好度設定欄を有するユーザ嗜好設定画面を表示部に表示し、前記キーワードに対する嗜好度の関係の入力に応じてユーザ嗜好記述の新規作成を行うものも含まれる。
【００４２】
この手順により、ユーザ嗜好設定画面を用いてユーザの嗜好度を設定し、ユーザ嗜好記述の新規作成を行うことができ、簡易な操作によって、ユーザ嗜好に基づく最適な要約を容易に作成、変更等することが可能となる。
【００４３】
また、本発明の一態様として、上記のコンテンツ要約作成方法であって、前記ユーザ嗜好記述は、ユーザの希望視聴時間の情報を含み、
前記ユーザ嗜好記述作成ステップにおいて、前記作成されたコンテンツの要約に関する要約再生時間と前記希望視聴時間との差が所定値以上の場合に、前記ユーザ嗜好設定画面を表示部に表示するものも含まれる。
【００４４】
この手順により、例えば、作成された要約の情報が空（要約再生時間が０）であったり、作成された要約の要約再生時間とユーザの希望視聴時間とに大きな差があるなど、要約再生時間と希望視聴時間との差が所定値以上の場合に、ユーザ嗜好設定画面が自動的に表示されるため、このユーザ嗜好設定画面を用いてユーザ嗜好記述の作成や変更を容易に行うことができ、ユーザ嗜好に基づく最適な要約を容易に作成可能となる。
【００４５】
また、本発明の一態様として、上記のコンテンツ要約作成方法であって、前記要約作成ステップにおいて、前記コンテンツ記述と前記ユーザ嗜好記述とに基づいて求められるコンテンツのシーン毎のシーン優先度と、前記シーン優先度とユーザの希望視聴時間とに基づいて要約として再生するよう選択される選択シーンとを含む要約作成テーブルを作成し、この要約作成テーブルに基づいて前記コンテンツの要約を作成するものも含まれる。
【００４６】
この手順により、シーン優先度と選択シーンとを含む要約作成テーブルを作成することによって、要約作成テーブルにおいて選択シーンを後で柔軟に変更可能となり、簡単に要約の作成や変更等を行うことができるようになる。
【００４７】
また、本発明の一態様として、上記のコンテンツ要約作成方法であって、前記ユーザ嗜好記述作成ステップにおいて、前記ユーザ嗜好設定画面または前記コンテンツの要約再生画面に、前記コンテンツの要約の要約再生時間を変更するための要約時間変更ボタンを表示し、前記要約作成ステップにおいて、前記要約時間変更ボタンに対する入力部からの入力があった場合に、この要約時間変更指示入力に応じて前記選択シーンを増減することで、前記要約再生時間を増減させるものも含まれる。
【００４８】
この手順により、ユーザが要約時間変更ボタンによって要約時間の変更を指示し、煩雑な処理の必要無く、選択シーンの増減のみの簡易な処理で要約再生時間を変更することが可能となる。
【００４９】
また、本発明は、コンピュータに、上記いずれかに記載のコンテンツ要約作成方法の各ステップを実行させるためのプログラムを提供する。
【００５０】
このプログラムをコンテンツ視聴装置等で実行することにより、ユーザ嗜好設定画面を用いてユーザの嗜好度を設定し、ユーザ嗜好記述の作成、変更を行うことができ、簡易な操作によって、ユーザ嗜好に基づく最適な要約を容易に作成や変更等することが可能となる。
【発明の効果】
【００５１】
本発明によれば、簡易な操作によって、ユーザ嗜好に基づく最適な要約を容易に作成や変更等することのできるコンテンツ視聴装置及びコンテンツ要約作成方法を提供可能である。
【発明を実施するための最良の形態】
【００５２】
本実施形態では、映像や音声などを含むマルチメディアコンテンツから要約を作成するコンテンツ要約作成部とコンテンツの再生を行うコンテンツ再生部とを有するコンテンツ視聴装置の構成例とその動作を示す。このコンテンツ視聴装置は、携帯情報端末（ＰＤＡ）、携帯電話機、パーソナルコンピュータ（ＰＣ）などに適用されるものである。
【００５３】
（第１の実施形態）
図１は、本発明の第１の実施形態に係るコンテンツ視聴装置の構成を示すブロック図である。本実施形態のこのコンテンツ視聴装置１０は、コンテンツサーバ６０から配信されたコンテンツを受信し再生するものであり、コンテンツを記憶するコンテンツ記憶部１１と、要約作成のための情報を記憶する要約関連情報記憶部１２と、コンテンツの要約を作成するコンテンツ要約作成部１３と、コンテンツまたはその要約を再生するコンテンツ再生部１４と、ユーザ嗜好に関する情報であるユーザ嗜好記述を作成するユーザ嗜好記述作成部１５と、再生するコンテンツや入力情報等を表示する情報表示部１６と、情報の入力を行う情報入力部１７と、コンテンツサーバ６０との間でデータの送受信を行う通信部１８とを有して構成される。
【００５４】
コンテンツ記憶部１１は、動画（映像）、静止画、音声、テキスト等を含む時間軸方向に広がりを持つマルチメディアデータからなるコンテンツ１１１を記憶している。要約関連情報記憶部１２は、コンテンツに関する情報であるコンテンツ記述２１と、ユーザ嗜好記述２２と、要約作成の基になる情報である要約作成テーブル２３とを記憶している。通信部１８は、コンテンツサーバ６０から配信されたコンテンツ１１１を受信し、コンテンツ記憶部１１に転送する。なお、コンテンツ１１１は、ＤＶＤやメモリカードなどの記録媒体から供給されても良い。
【００５５】
コンテンツ記述２１は、コンテンツ１１１の時間的な区切りであるシーンやカットを単位として、コンテンツの情報を表すもので、コンテンツの内容を表すキーワード（観点）、そのキーワードの重要度を示すスコア、シーン開始や継続の時間情報、及びコンテンツのリンク先等のメタデータを構造化記述した情報である。このコンテンツ記述２１は、例えば、ＸＭＬ（eXtensible Markup Language）やＭＰＥＧ−７規格に準拠したフォーマットで記述される。コンテンツ記述２１の詳細については、後に図２〜図１０にて記述例を示し説明する。
【００５６】
ユーザ嗜好記述２２は、コンテンツ１１１を視聴するユーザの嗜好の情報を表すもので、各キーワードに対するユーザの好みの度合いである嗜好度、ユーザが要約の再生時間として希望する希望視聴時間等を記述した情報である。このユーザ嗜好記述２２は、コンテンツ１１１の中から要約として再生するシーンを選択する際に用いられる。ユーザ嗜好記述２２の詳細については、後に図１１〜図１６にて記述例を示し説明する。
【００５７】
要約作成テーブル２３は、コンテンツ記述２１及びユーザ嗜好記述２２に基づき、コンテンツ要約作成部１３において要約として選択再生するシーンを記述した要約記述を作成するための情報を格納したテーブルである。要約作成テーブル２３の詳細については、後に図２２にて記述例を示し説明する。
【００５８】
コンテンツ要約作成部１３は、予めコンテンツ１１１の内容に基づき作成されているＸＭＬ等によるコンテンツ記述２１ｘと、ユーザ嗜好作成記述部１５で作成されたＸＭＬ等によるユーザ嗜好記述２２ｘとを入力して、これらの記述を基に後述する要約処理手順に従って要約作成テーブル２３を作成し、この要約作成テーブル２３に基づき、コンテンツ１１１中の要約として用いるシーンのシーン番号を記述した要約記述を作成してコンテンツ再生部１４へ出力するものである。
【００５９】
コンテンツ再生部１４は、コンテンツ要約作成部１３からの要約記述を基に、その実体情報であるコンテンツ１１１の所定シーンのマルチメディアデータをコンテンツ記憶部１１から読み出し、情報表示部１６に出力してコンテンツの再生を行うものである。ユーザ嗜好記述作成部１５は、ユーザ嗜好記述２２ｘを新規に作成し、既に作成されたユーザ嗜好記述２２ｘを変更または修正するものであり、詳細な動作は後述する。情報表示部１６は、液晶表示パネル等の表示装置（ディスプレイ）、スピーカ等の音声出力装置などを有して構成され、コンテンツ視聴装置１０におけるコンテンツの再生や情報出力を行うものである。情報入力部１７は、テンキーやキーボード、マウス等のポインティングデバイス、情報表示部１６のディスプレイ上に設けられたタッチパネル等の入力デバイスを有して構成され、コンテンツ視聴装置１０における各種情報の入力を行うものである。
【００６０】
前記コンテンツ要約作成部１３、コンテンツ再生部１４、ユーザ嗜好記述作成部１５は、プロセッサ及びメモリを有するコンピュータを用いて機能が実現されるもので、このコンピュータにおいて各機能を実現するためのソフトウェアプログラムが動作し、各手順が実行される。
【００６１】
図２は、要約関連情報記憶部１２に記憶される図４，図５に示すコンテンツ記述２１ｘの第１例の説明図である。第１例のコンテンツ記述２１ｘは、０，１，２，３，・・・等のコンテンツを構成するシーン番号２１１で示されるそれぞれのシーン毎に、「ゴール」や「コーナーキック」、「チームＡ」等の各シーンの特徴を表すキーワード（観点）２１２と、各シーンの開始を示すシーン開始時間２１３と、各シーンの長さを示すシーン継続時間２１４と、各シーンに対する各キーワード２１２の重要度２１５と、コンテンツ開始時間及びコンテンツ継続時間を含むコンテンツ全体の時間を示すコンテンツ時間情報２１６とを記述したものである。なお、シーン継続時間２１４やコンテンツ時間情報２１６は、図の例では分単位でしか示していないが、秒単位まで設定されていてもよい。なお、図２において、各シーンに対する各キーワード２１２の重要度２１５の欄における空白は、そのシーンの特徴を表すキーワード（観点）が付与されていないことを示している。
【００６２】
ここで、各シーンにおける各キーワード２１２に対する重要度２１５としては、「０．０」から「１．０」までの１１段階の値を付して表し、「１．０」の重要度が最も高いことを示すことにする。また、この例では、コンテンツ開始時間を０分、コンテンツ継続時間を９０分としており、例えば、シーン番号０のシーンは、シーン開始時間が０分でシーン継続時間が３分、次のシーン番号１のシーンは、シーン開始時間が３分でシーン継続時間が３分、シーン番号２のシーンは、シーン開始時間が６分でシーン継続時間が３分、…であることを示している。
【００６３】
図３は、コンテンツ記述２１ｘの第２例を示す説明図である。第２例のコンテンツ記述２１ｘは、図２に示した第１例に対して、コンテンツを説明する情報として、そのコンテンツの分野を表すジャンル２１７と、標題を表すタイトル２１８とを追加したものである。この例では、ジャンル２１７として「サッカー」、タイトル２１８として「チームＡ  ｖｓ  チームＢ」という情報が記述されている。
【００６４】
図４〜図１０は、図２または図３で説明したコンテンツに関するＭＰＥＧ−７規格に基づいたＸＭＬによるコンテンツ記述２１ｘの例を示す。
【００６５】
図４において、このＸＭＬによるコンテンツ記述２１ｘは、所定のヘッダ情報の記述の後に、タイトル２１８ｘとして図３に示す第２例における「チームＡ  ｖｓ  チームＢ」というタイトル２１８の記述と、ジャンル２１７ｘとして「サッカー」というジャンル２１７の記述とが記述されている。なお、図２に示す第１例の場合には、タイトル２１８及びジャンル２１７が設定されていないので、それらのＸＭＬによる記述２１７ｘ，２１８ｘは省略される。
【００６６】
図５は、図４に示すコンテンツ記述２１ｘの続きを示すもので、タイトルの記述２１８ｘ及びジャンルの記述２１７ｘの後に、コンテンツ開始時間「０分」及びコンテンツ継続時間「９０分」を含むコンテンツ時間情報２１６のＸＭＬによる記述２１６ｘが記述される。その後、以下の図６〜図１０等にそれぞれ示す各シーン毎の情報が記述される。
【００６７】
図６は、シーン番号０のシーンに関するＸＭＬによるコンテンツ記述２１００ｘの例を示す。このコンテンツ記述２１００ｘは、図２または図３に示すコンテンツ記述の説明におけるシーン番号０のシーンについて具体的に記述したもので、各キーワード２１２ｘ（「ゴール」、「コーナーキック」、「チームＢ」）や、シーン開始時間２１３ｘ、シーン継続時間２１４ｘ、各キーワード２１２ｘに対するシーン番号０のシーンの重要度２１５ｘの各情報がＭＰＥＧ−７規格に基づいたＸＭＬにより記述されている。
【００６８】
図７〜図１０は、シーン番号１〜４の各シーンに関するＸＭＬによるコンテンツ記述２１０１ｘ〜２１０４ｘの例を示す。これらのコンテンツ記述２１０１ｘ〜２１０４ｘには、図２または図３に示すコンテンツ記述の説明に基づき、図６のシーン番号０の場合と同様に、各キーワード２１２ｘ、シーン開始時間２１３ｘ、シーン継続時間２１４ｘ、各キーワード２１２ｘに対するシーン番号１〜４のシーンの重要度２１５ｘの各情報がＭＰＥＧ−７規格に基づいたＸＭＬにより記述されている。
【００６９】
図１１は、要約関連情報記憶部１２に記憶される図１３に示すユーザ嗜好記述２２の第１例の説明図である。第１例のユーザ嗜好記述２２ｘは、図２または図３に示すコンテンツ記述の説明における「ゴール」、「コーナーキック」等の各キーワード２１２の中から選択された所定のキーワード２２１に対する、「大好き」、「嫌い」、「普通」、「嫌い」、「大嫌い」等のユーザの好みの度合いである嗜好度２２２を示すと共に、ユーザの希望する要約の再生時間である希望視聴時間２２３を示したものである。ユーザ嗜好記述２２ｘの各キーワード２２１は、後述するユーザ嗜好設定画面を参照してユーザ自身が嗜好を入力することなどによって設定される。
【００７０】
図１２は、ユーザ嗜好記述２２ｘの第２例を示す説明図である。第２例は第１例の変形例であり、図１２（ａ）に示すスコア変換表２２０を用いて、図１２（ｂ）に示すように数値で表した嗜好度２２４に変換して示したものである。スコア変換表２２０は、ユーザ嗜好記述作成部１５の内部に備えるか、要約関連情報記憶部１２に格納する。この数値による嗜好度２２４は、図１１に示す嗜好度２２２と同一内容を表している。つまり、スコア変換表２２０により、「大好き」、「嫌い」、「普通」、「嫌い」、「大嫌い」等の感覚的な嗜好度２２２を、それぞれ「１００」、「５０」、「０」、「−５０」、「−１００」という数値化した嗜好度２２４に変換したものである。
【００７１】
図１３は、図１１の第１例または図１２の第２例のユーザ嗜好に関するＭＰＥＧ−７規格に基づいたＸＭＬによるユーザ嗜好記述２２ｘの例を示す。図１３において、このＸＭＬによるユーザ嗜好記述２２ｘは、嗜好度２２２ｘとして各キーワード２２１に対するユーザの嗜好度２２４の記述と、希望視聴時間２２３ｘとして希望視聴時間２２３の記述とが記述されている。
【００７２】
図１４は、ユーザ嗜好記述２２ｘの第３例を示す説明図である。第３例のユーザ嗜好記述２２ｘは、コンテンツのジャンル毎にキーワードを分けて嗜好度を示したものである。この例では、「サッカー」のジャンル２２５ａと「野球」のジャンル２２５ｂとを設けている。そして、「サッカー」のジャンル２２５ａに属するキーワード２２１ａ（「ゴール」、「コーナーキック」等）に対する、「大好き」、「嫌い」、「普通」、「嫌い」、「大嫌い」等の嗜好度２２２ａと、「野球」のジャンル２２５ｂに属するキーワード２２１ｂ（「鈴木」、「チームＣ」等）に対する嗜好度２２２ｂとを設定する。また、第３例においても、上記第１例と同様に、「６分」等のユーザの希望する要約再生時間である希望視聴時間２２３が設定される。
【００７３】
図１５は、ユーザ嗜好記述２２ｘの第４例を示す説明図である。第４例は第３例の変形例であり、図１５（ａ）に示すスコア変換表２２０を用いて、図１５（ｂ）に示すように数値で表した嗜好度２２４ａ，２２４ｂに変換して示したものである。この数値による嗜好度２２４ａ，２２４ｂは、図１１に示す嗜好度２２２ａ，２２２ｂと同一内容を表しており、「大好き」、「嫌い」、「普通」、「嫌い」、「大嫌い」等の感覚的な嗜好度２２２を、それぞれ「１００」、「５０」、「０」、「−５０」、「−１００」という数値化した嗜好度２２４ａ，２２４ｂに変換したものである。
【００７４】
図１６は、図１４の第３例または図１５の第４例のユーザ嗜好に関するＭＰＥＧ−７規格に基づいたＸＭＬによるユーザ嗜好記述２２ｘの例を示す。図１６において、このＸＭＬによるユーザ嗜好記述２２ｘは、嗜好度２２２ａｘとして「サッカー」のジャンル２２５ａに属するキーワード２２１ａに対するユーザの嗜好度２２４ａの記述と、嗜好度２２２ｂｘとして「野球」のジャンル２２５ｂに属するキーワード２２１ｂに対するユーザの嗜好度２２４ｂの記述とが記述されている。各ジャンルの嗜好度２２２ａｘ，２２２ｂｘには、希望視聴時間２２３ｘが含まれている。
【００７５】
図１７は、ユーザ嗜好設定画面３１０の第１例を示す説明図である。上述したユーザ嗜好記述２２ｘは、情報表示部１６に表示されるユーザ嗜好設定画面３１０を用いて、ユーザの入力操作により設定、変更が可能となっている。ユーザ嗜好設定画面３１０には、コンテンツのキーワード名（観点名）が一列に表示されたキーワード表示欄３１２が設けられ、このキーワード表示欄３１２の左側部に各キーワードを選択するための選択欄３１１が設けられている。また、キーワード表示欄３１２の各キーワードの右側部には、各キーワードについてのユーザの好みの度合いを示す嗜好度２２２を設定するための嗜好度設定欄３１３が設けられている。
【００７６】
また、ユーザ嗜好設定画面３１０の上部には、ユーザの希望視聴時間２２３ｘを設定するための希望視聴時間設定欄３１４が設けられている。さらに、ユーザ嗜好設定画面３１０の下部には、ユーザ嗜好設定を確定する指示を行うための決定ボタン３１５と、次頁の画面に切り替える指示を行うための次頁ボタン３１６とが設けられている。
【００７７】
ユーザ嗜好記述２２ｘの設定や変更を行う際には、ユーザ嗜好設定画面３１０において、キーワード表示欄３１２に並べて表示された所望のキーワードの選択欄３１１をチェックしてユーザ嗜好を設定するキーワード２２１を選択する。そして、選択したキーワード毎に、「大好き」〜「大嫌い」のうちの好みの度合いに対応する嗜好度設定欄３１３をチェックし、各キーワード２２１に対する嗜好度２２２を設定する。設定操作の終了後に決定ボタン３１５を操作（押下）することにより、キーワード２２１の選択、及びキーワード２２１毎の嗜好度２２２の設定を決定する。これにより、ユーザにキーワード２２１を選択させ、選択されたそれぞれのキーワード２２１について嗜好度２２２を設定させることができる。
【００７８】
キーワードが多数あってキーワード表示欄３１２が１画面で表示できず、ユーザ嗜好設定画面３１０が複数の画面にまたがる場合、次頁ボタン３１６を操作（押下）することにより、次の頁の設定画面に切り替えて、他のキーワードについて嗜好度を設定することが可能である。また、希望視聴時間設定欄３１４にユーザが希望の要約再生時間を設定入力することにより、この値がユーザ嗜好記述２２ｘの希望視聴時間２２３に反映される。
【００７９】
ユーザ嗜好設定画面３１０内のキーワード表示欄３１２は、例えば、コンテンツ記述２１ｘに設定されたキーワードの重要度に基づき、画面の上から重要度の高い順にキーワードを並べて表示するようにする。
【００８０】
次に、第１の実施形態のコンテンツ視聴装置１０の動作を説明する。図１８は、第１の実施形態におけるコンテンツ視聴装置１０の動作手順を示すフローチャートである。
【００８１】
まず、コンテンツ再生部１４により、コンテンツ要約作成部１３を介して要約関連情報記憶部１２からコンテンツ記述２１ｘの読み取りを行い（ステップＳ１０１）、コンテンツ１１１の全体情報や各シーン情報を読み取る。続いて、コンテンツ再生部１４により、情報表示部１６にコンテンツ再生の初期画面を表示させる（ステップＳ１０２）。
【００８２】
図１９は、コンテンツ再生動作開始時に情報表示部１６に表示される初期画面４１０の一例を示す説明図である。この初期画面４１０は、コンテンツ再生のサービス開始画面である。図１９（ａ）に示す第１例の初期画面４１０は、コンテンツの全体の再生を選択する指示を行うための全体再生ボタン４１１と、コンテンツの要約の再生を選択する指示を行うための要約再生ボタン４１２とを備えており、ユーザにいずれかの再生モードを選択させるものである。また、図１９（ｂ）に示す第２例の初期画面４１０のように、「チームＡ  ｖｓ  チームＢ」等の再生すべきコンテンツ１１１のタイトル名４１３を表示するようにしてもよい。なお、初期画面４１０のデータは、要約関連情報記憶部１２あるいは図示しない他のメモリ等に予め記憶されているものである。
【００８３】
ユーザが情報表示部１６の初期画面４１０を参照して、情報入力部１７によって全体再生あるいは要約再生を選択する再生モードの入力操作を行うと、コンテンツ再生部１４はこの再生モードの指示入力を取り込み（ステップＳ１０３）、再生モードが全体再生か要約再生かの判断を行う（ステップＳ１０４）。
【００８４】
ステップＳ１０４においてユーザにより全体再生の再生モードが選択されたと判断した場合、コンテンツ再生部１４は、コンテンツ記述２１ｘに基づいてコンテンツ記憶部１１から対応するコンテンツ１１１を読み出し、読み出したコンテンツ全体を通常通り再生して（ステップＳ１０５）、処理を終了する。
【００８５】
一方、ステップＳ１０４においてユーザにより要約再生の再生モードが選択されたと判断した場合、コンテンツ要約作成部１３は、要約関連情報記憶部１２から対応するユーザ嗜好記述２２ｘを読み取り（ステップＳ１０６）、要約作成テーブル２３の作成及びこの要約作成テーブル２３に基づく要約記述の作成等の処理を含む要約作成処理を行う（ステップＳ１０７）。この要約作成処理の詳細は後述する。
【００８６】
その後、コンテンツ再生部１４は、上記のように作成した要約記述の情報があるか否かを判定する（ステップＳ１０８）。ステップＳ１０８において、要約記述の情報がある場合は、コンテンツ再生部１４は、その要約記述に基づいてコンテンツ記憶部１１に記憶されたコンテンツ１１１から要約として再生するシーンのデータを読み出し、選択されたシーンによる要約コンテンツの再生を行い（ステップＳ１０９）、処理を終了する。
【００８７】
図２０は、要約再生時に再生情報表示部１６に表示されるコンテンツの要約再生画面の一例を示す図である。図２０（ａ）に示す第１例の要約再生画面５１０は、コンテンツ再生部１４により再生する要約コンテンツの画像情報（映像情報）である再生画面５１１のみを情報表示部１６に再生表示したものである。この画面の操作は、コンテンツ視聴装置１０の情報入力部１７や、図示しない他の操作手段を使用する。
【００８８】
図２０（ｂ）に示す第２例の要約再生画面５１０は、上記再生画面５１１に加えて、「チームＡ  ｖｓ  チームＢ」等の現在再生している要約コンテンツのタイトル名５１２と、コンテンツ再生部１４に対し再生動作を直接指示する再生プレーヤの操作パネル５１３と、ユーザ嗜好設定画面３１０への切替指示操作を行うための設定画面切替ボタンである要約切替ボタン５１４とを配置して表示したものである。
【００８９】
一方、図１８のステップＳ１０８において、要約記述の情報が無い（空である）と判断した場合は、ユーザ嗜好記述作成部１５により、ステップＳ１１０〜Ｓ１１５によるユーザ嗜好記述作成処理を行う。このユーザ嗜好記述作成処理の詳細は後述する。ここで、要約記述の情報が無い場合としては、初期状態などでユーザ嗜好記述２２ｘがユーザにより設定入力されておらず、要約記述が作成されない場合や、ユーザにより設定入力されたユーザ嗜好記述２２ｘがあるものの、ユーザ嗜好記述２２ｘのキーワードとコンテンツ記述２１ｘのキーワードとで一致するものが無く、対象コンテンツの要約記述が作成されない場合などが考えられる。
【００９０】
なお、ユーザ嗜好記述作成処理は、要約記述の情報が無い場合だけでなく、図２０（ｂ）に示したような要約コンテンツ再生中の要約再生画面５１０において要約切替ボタン５１４がユーザによって操作された場合にも、実行されるようにしてもよい。これにより、要約記述の情報が無くて要約が再生されない場合だけでなく、再生された要約がユーザの嗜好に合わないときに、ユーザの意思による要約切替ボタン５１４の操作により、ユーザ嗜好記述２２ｘの設定、変更を行うことが可能となる。
【００９１】
次に、上記要約作成処理の手順について詳述する。図２１は、図１８に示すステップＳ１０７の要約作成処理の詳細な処理内容を示すフローチャートである。コンテンツ要約作成部１３は、図１８のステップＳ１０１の処理により読み取ったコンテンツ記述２１ｘのキーワード２１２と、図１８のステップＳ１０６の処理により読み取ったユーザ嗜好記述２２ｘのキーワード２２１との間で一致するキーワードに対し、コンテンツ記述２１ｘにおける重要度２１５とユーザ嗜好記述２２ｘにおける嗜好度２２４とを乗算し、求められた乗算値を要約作成テーブル２３の各キーワード２３２に対する各シーン毎の合致度２３３として設定する（ステップＳ２０１）。
【００９２】
図２２は、要約作成処理により作成され要約関連情報記憶部１２に記憶される要約作成テーブル２３の一例を示す図である。
【００９３】
要約作成テーブル２３は、コンテンツ記述２１ｘ及びユーザ嗜好記述２２ｘを基に作成されるもので、シーン番号２３１で示されるそれぞれのシーン毎に、各シーンにおける各キーワード２３２に対する合致度２３３の値が格納される。この合致度２３３は、コンテンツ記述２１ｘにおけるシーン毎の各キーワード２１２ｘの重要度２１５ｘと、ユーザ嗜好記述２２ｘにおける各キーワード２２１ｘに対する嗜好度２２４ｘとの乗算などによって求められる。また、各シーンにおいて、キーワード２３２毎の合致度２３３に基づくシーン重要度２３４の値が格納される。このシーン重要度２３４は、合致度２３３の最大値などによって求められる。さらに、各シーンにおいて、シーン重要度２３４に基づくシーン優先度２３５の値が格納される。このシーン優先度２３５は、例えばシーン重要度２３４の高い順番に並べた優先順位の番号が設定される。
【００９４】
また、要約作成テーブル２３には、それぞれのシーンのシーン継続時間２３７が格納されており、各シーンのシーン優先度２３５、シーン継続時間２３７、及びユーザの希望視聴時間２２３に基づいて、要約として用いるシーン選択処理を行った結果を示す選択シーン２３６の情報が格納される。選択シーン２３６の情報は、図では○，×で示しているが、実際には０，１のビット情報などが用いられる。
【００９５】
図２１のステップＳ２０１において、具体的には、図４〜図１０に示すコンテンツ記述２１ｘの各キーワード２１２ｘに対する各シーンの重要度２１５ｘの値「０．３」や「１．０」等と、図１３）等に示すユーザ嗜好記述２２ｘの各キーワード２２１ｘに対するユーザの嗜好度２２４ｘの値「１００」や「−５０」等との乗算値を求め、求めた乗算値を要約作成テーブル２３のキーワード２３２に対する各シーンの合致度２３３とする。なお、図１１等のようにユーザ嗜好記述２２の各キーワード２２１に対するユーザの嗜好度２２２が「大好き」や「嫌い」等の主観的評価で記述されている場合には、図１２（ａ）等に示す主観的評価を定量化するスコア変換表２２０によって嗜好度２２２を数値に換算して、図１２（ｂ）等に示すユーザの嗜好度２２４のように定量化しておく。
【００９６】
図２２の要約作成テーブル２３の例では、各キーワード２３２に対する各シーン毎の合致度２３３として、シーン番号２３１毎に「３０（＝重要度１．０×嗜好度３０）」、「１００（＝重要度１．０×嗜好度１００）」、「７０（＝重要度０．７×嗜好度１００）」、「−２５（＝重要度０．５×嗜好度−５０）」、「０（＝重要度０．０または嗜好度０）」等の数値が設定されることになる。なお、図２２の各シーン毎の合致度２３３における空白は、コンテンツ記述２１ｘにそのキーワード（観点）が付与されていない場合を示している。
【００９７】
続いて、コンテンツ要約作成部１３は、要約作成テーブル２３の各キーワード２３２に対するシーン番号２３１毎の合致度２３３に基づき、各シーン毎に最大値を求め、これを各シーンにおけるシーン重要度２３４として設定する（ステップＳ２０２）。図２２の要約作成テーブル２３の例では、シーン番号０のシーンはシーン重要度２３４が「３０」、シーン番号１のシーンはシーン重要度２３４が「３０」、シーン番号２のシーンはシーン重要度２３４が「１００」、…となっている。なお、ここでは、シーン重要度２３４としてシーン毎に合致度２３３の最大値を採用しているが、各シーン毎に合致度の累積値を用いたり、あるいは、正の合致度のみの累積値とか、正の合致度の個数などの値を用いることもできる。
【００９８】
そして、コンテンツ要約作成部１３は、ステップＳ２０２にて設定したシーン重要度２３４に基づき、各シーンについてシーン重要度２３４の高い順番に番号を振り、この優先順位の番号をシーン優先度２３５として設定する（ステップＳ２０３）。なお、同一のシーン重要度が複数ある場合には、シーン重要度が同じ複数のシーンについては、別のルール、例えば、コンテンツにおけるシーン開始時間の前や後ろ、中央を優先するなどの方法により、シーン優先度２３５を決定するようにする。ここでは、シーン開始時間が前（シーン番号が若い）ものを優先するようにする。図２２の要約作成テーブル２３の例では、同一のシーン重要度「３０」に対して、シーン番号０のシーンはシーン優先度２３５を「４」、シーン番号１のシーンはシーン優先度２３５を「５」とし、他はシーン重要度２３４の値に従って、シーン番号２のシーンは「１」、シーン番号３のシーンは「２」、シーン番号４のシーンは「３」、…となる。
【００９９】
次に、コンテンツ要約作成部１３は、ユーザが設定したユーザ嗜好記述２２ｘの希望視聴時間２２３ｘに近くなるように、シーン優先度２３５の高い順番に要約として用いるシーンを選択して、選択結果を要約作成テーブル２３に選択シーン２３６として設定し、要約作成テーブル２３を作成する。そして、作成した要約作成テーブル２３を要約関連情報記憶部１２へ出力する（ステップＳ２０４）。このとき、図２２の要約作成テーブル２３の例では、コンテンツ記述２１ｘから読み取ったシーン毎のシーン継続時間２３７が各シーン「３分」に設定されており、ユーザ嗜好記述２２ｘの希望視聴時間２２３ｘ（ここでは６分）に近くなるように、シーン継続時間２３７を参照してシーン優先度２３５の高いシーンを選択する。この場合、シーン番号２及び３のシーンが選択される。図２２においては、選択シーン２３６は、要約として選択されたシーン番号を「○」、要約として選択されないシーン番号を「×」で表している。なお、希望視聴時間２２３やシーン継続時間２３７は、図の例では分単位でしか示していないが、秒単位まで設定されていてもよい。
【０１００】
そして、コンテンツ要約作成部１３は、上記のように作成した要約作成テーブル２３を用いて、選択シーン２３６の情報を参照して要約として選択されたシーンのシーン番号を記述した要約記述を作成する（ステップＳ２０５）。図２２の要約作成テーブル２３の例では、シーン番号２及び３を記述した要約記述が作成されてコンテンツ再生部１４へ出力される。以上により、図１８に示すステップＳ１０７の要約作成処理が終了する。
【０１０１】
図２３は、図２２の要約作成テーブル２３に対する要約記述の一例を示す図である。この要約記述２５は、ＳＭＩＬ２．０形式によるシナリオ再生記述の例である。ここでは、大きさ３５２×２８８の物理画面に同サイズの論理画面を設定する記述２５０１と、この論理画面の領域に、対象コンテンツの１８０秒から３６０秒の区間を再生する記述２５０２と、その区間の再生が終わると次の行で示される対象コンテンツの３６０秒から５４０秒の区間を再生する記述２５０３とから構成されている。。
【０１０２】
次に、上記ユーザ嗜好記述作成処理の手順について、ユーザ嗜好設定画面を用いて詳述する。ユーザ嗜好記述作成処理では、まずユーザ嗜好記述作成部１５により、コンテンツ記述２１ｘやユーザ嗜好記述２２ｘに基づき、ユーザ嗜好設定画面３１０の表示情報を作成し（図１８のステップＳ１１０）、図１７に示すようなユーザ嗜好設定画面３１０を情報表示部１６に表示する（ステップＳ１１１）。そして、ユーザ嗜好設定画面３１０を表示した状態で、ユーザによる情報入力部１７からの操作入力を受け付け、ユーザ嗜好情報の入力を行う（ステップＳ１１２）。ここでのユーザ嗜好の入力としては、ユーザ嗜好設定画面３１０の選択欄３１１のチェックによる好みのキーワードの選択と、嗜好度設定欄３１３のチェックによる各キーワードに対する嗜好度の設定と、希望視聴時間設定欄３１４の入力による希望視聴時間の設定とが含まれる。
【０１０３】
ユーザ嗜好設定画面３１０において、ユーザによってキーワード表示欄３１２に表示されたキーワードの中から所望のキーワードを選択させ、該当するキーワードの選択欄３１１にチェックさせる。そして、選択したキーワード毎に、ユーザの好みの度合いである嗜好度を嗜好度設定欄３１３の中から選択させてチェックさせる。これにより、ユーザが興味を持っているキーワードとその嗜好度とが設定される。
【０１０４】
ユーザ嗜好記述２２ｘを新規に作成する場合は、読み込んだコンテンツ記述２１ｘを基にユーザ嗜好設定画面３１０を作成して表示する。そして、ユーザがキーワード表示欄３１２に表示されたキーワードの中から新たに所望のキーワードを選択欄３１１で選択し、そのキーワードの嗜好度（「大好き」〜「大嫌い」）を嗜好度設定欄３１３で選択した後、決定ボタン３１５を押下することによりユーザ嗜好記述２２ｘが作成される。このとき、キーワード表示欄３１２の表示は、例えば、視聴対象となるコンテンツ１１１のコンテンツ記述２１ｘにおけるキーワード２１２ｘの重要度２１５ｘの高い順にキーワードを上から並べて表示することにする。なお、キーワードの表示順としては、コンテンツ記述２１ｘにおけるキーワード出現順や、シーンの順番に応じたキーワード出現順などで表示してもよく、上記に限定されない。
【０１０５】
また、既に作成されたユーザ嗜好記述２２ｘを変更または修正する場合は、読み込んだコンテンツ記述２１ｘ及びユーザ嗜好記述２２ｘを基にユーザ嗜好設定画面３１０を作成して表示する。そして、ユーザがキーワード表示欄３１２左側部の選択欄３１１において選択キーワードの削除、追加を行ったり、嗜好度設定欄３１３の設定変更を行った後、決定ボタン３１５を押下することによりユーザ嗜好記述２２ｘが更新される。このとき、キーワード表示欄３１２の表示は、例えば、コンテンツ記述２１ｘに記述されたキーワード２１２ｘとユーザ嗜好記述２２ｘに記述されたキーワード２２１ｘとを参照し、両方に存在するキーワードを上に配置し、これらをユーザ嗜好記述２２ｘの嗜好度２２４ｘの高い順にキーワードを上から並べて表示することにする。また、以降には、コンテンツ記述２１ｘにおけるキーワード２１２ｘの重要度２１５ｘが高いものから表示すればよい。なお、キーワードの表示順としては、ユーザ嗜好記述２２ｘにおける嗜好度２２４ｘの高い順やコンテンツ記述２１ｘにおける重要度２１５ｘの高い順だけでなく、コンテンツ記述２１ｘにおけるキーワード出現順や、ユーザ嗜好記述２２ｘにおけるキーワード出現順、シーンの順番に応じたキーワード出現順、シーン重要度に対応するキーワードの重要度の高い順などで表示してもよく、上記に限定されない。
【０１０６】
そして、ユーザが希望視聴時間設定欄３１４に所望の要約再生時間を入力することにより、ユーザ嗜好記述２２ｘの希望視聴時間２２３が設定される。
【０１０７】
図２４は、ユーザ嗜好設定画面３１０の第２例を示す説明図である。この第２例は、図１７に示した第１例の変形例であり、キーワード表示欄３１２の表示態様を変更したもので、例えば既に作成されたユーザ嗜好記述２２ｘを変更または修正する場合に用いられる。
【０１０８】
第２例のユーザ嗜好設定画面３１０は、キーワード表示欄３１２、選択欄３１１及び嗜好度設定欄３１３の部分を仮想的に複数の領域に分割し、それぞれの領域にコンテンツ記述２１ｘとユーザ嗜好記述２２ｘの内容に基づいて分類されるキーワード群をまとめて表示している。この例では、一番上の第１の領域３１３ａには、当該装置に格納されたユーザ嗜好記述２２ｘと視聴対象となるコンテンツ１１１のコンテンツ記述２１ｘとにおいてキーワードが一致するもの、すなわち両方に存在するキーワードを配置する。この第１の領域３１３ａでは、ユーザ嗜好記述２２ｘにおける嗜好度２２４ｘの高い順、コンテンツ記述２１ｘにおける重要度２１５ｘの高い順、コンテンツ記述２１ｘにおけるキーワード出現順などで並べて表示する。また、その次の第２の領域３１３ｂには、コンテンツ記述２１ｘにのみ存在するキーワードを配置する。この第２の領域３１３ｂでは、コンテンツ記述２１ｘにおける重要度２１５ｘの高い順、コンテンツ記述２１ｘにおけるキーワード出現順などで並べて表示する。また、その次の第３の領域３１３ｃには、ユーザ嗜好記述２２ｘにのみ存在するキーワードを配置する。この第３の領域３１３ｃでは、ユーザ嗜好記述２２ｘにおける嗜好度２２４ｘの高い順などで並べて表示する。なお、キーワードの表示順は上記に限定されない。
【０１０９】
そして、ユーザ嗜好記述作成部１５は、ユーザにより次頁ボタン３１６の押下操作がなされたかを判断する（ステップＳ１１３）。ここで、次頁ボタン３１６が操作された場合は、ステップＳ１１１のユーザ嗜好設定画面表示処理へ戻り、次頁のユーザ嗜好設定画面３１０を表示して同様の処理を繰り返す。一方、ステップＳ１１３において次頁ボタン３１６が操作されない場合は、続いて決定ボタン３１５の押下操作がなされたかを判断する（ステップＳ１１４）。ここで、決定ボタン３１５が操作されない場合は、ステップＳ１１２に戻り、決定ボタン３１５が操作されるまでユーザ嗜好情報の入力処理を継続する。ステップＳ１１４において決定ボタン３１５が操作された場合は、ユーザ嗜好記述作成部１５はユーザによりユーザ嗜好の決定指示があったものと判断し、入力されたユーザ嗜好情報を基にユーザ嗜好記述２２ｘを作成し、要約関連情報記憶部１２に書き込んで記憶する（ステップＳ１１５）。その後は、前述したステップＳ１０６のユーザ嗜好記述読み取り処理へ移行する。
【０１１０】
上記のように、第１の実施形態のコンテンツ視聴装置１０では、ユーザの好みのキーワードを選択するためのキーワード選択欄と、キーワード毎にユーザの嗜好度を設定するための嗜好度設定欄と、ユーザの希望視聴時間を設定するための希望視聴時間設定欄とを有するユーザ嗜好設定画面３１０を表示し、このユーザ嗜好設定画面３１０によってユーザがユーザ嗜好の情報を簡単に設定入力することが可能であり、ユーザ嗜好記述作成部１５において入力情報に応じたユーザ嗜好記述２２ｘを作成することができる。そして、このユーザ嗜好記述２２ｘとコンテンツに設定されたコンテンツ記述２１ｘとを用いて、コンテンツ要約作成部１３において要約作成テーブル２３を作成、変更等することによって、ユーザの設定した希望視聴時間とユーザ嗜好に基づく最適な要約を簡易な操作によって作成して再生することができる。
【０１１１】
また、初期状態などでユーザ嗜好記述２２ｘが無く要約記述が作成されない場合、あるいはユーザ嗜好記述２２ｘがあってもコンテンツ記述２１ｘと一致するキーワードが無くて要約記述が作成されない場合など、要約記述の情報が無くて適切な要約再生ができない場合には、ユーザ嗜好設定画面３１０を自動的に表示することで、ユーザが容易にユーザ嗜好の入力を行ってユーザ嗜好記述２２ｘを設定することができる。なお、要約記述の情報が無くて要約の再生時間が０となる場合だけでなく、ユーザの希望視聴時間に対して作成された要約の再生時間が所定値以上短い、あるいは長すぎる場合などに、ユーザ嗜好設定画面３１０の自動表示を行ってユーザ嗜好記述２２ｘの再設定を可能にしてもよい。また、要約再生画面５１０に要約切替ボタン５１４を設けて、ユーザの操作によって任意にユーザ嗜好設定画面３１０を表示可能としてもよい。この場合、要約の再生内容や視聴時間に不満があるときなどに、要約再生中でも直ちにユーザ嗜好記述２２ｘを変更してよりユーザ嗜好に合った要約を再生することができる。
【０１１２】
なお、上記第１の実施形態における動作手順の変形例として、作成された要約記述の情報が無い場合に、ユーザ嗜好設定画面３１０を表示してユーザ嗜好の入力を行うユーザ嗜好記述作成処理に移行せず、コンテンツの全体を再生するようにしてもよい。
【０１１３】
また、上記第１の実施形態では、コンテンツ視聴装置１０として、コンテンツ再生を行う端末に各部を設ける構成を示したが、これに限らず、コンテンツ記憶部１１や要約関連情報記憶部１２を例えばコンテンツサーバやデータベースサーバ等の他の装置に設けて端末からアクセス可能にしておき、コンテンツまたはその要約コンテンツを端末にて再生する際に、コンテンツサーバやデータベースサーバからデータをダウンロードして表示するようにしてもよい。また、コンテンツ要約作成部１３やユーザ嗜好記述作成部１５についても、これらをコンテンツサーバやデータベースサーバ等の他の装置に設けるようにしても勿論よい。
【０１１４】
（第２の実施形態）
第２の実施形態のコンテンツ視聴装置は、ユーザ嗜好設定画面にてユーザがキーワードの選択やキーワードに対する嗜好度を変更した場合、リアルタイムで要約再生時間を算出してユーザ嗜好設定画面に表示し、好みの要約再生時間に対応できるようにしたものである。この場合、コンテンツ要約作成部１３において、キーワードの選択変更やキーワードに対する嗜好度の変更に対応してその都度要約作成テーブル２３を変更する。
【０１１５】
図２５は、第２の実施形態のコンテンツ視聴装置におけるユーザ嗜好設定画面３２０の例を示す説明図である。このユーザ嗜好設定画面３２０によって第２の実施形態の動作を説明する。第２の実施形態におけるユーザ嗜好設定画面３２０は、前述した第１の実施形態のユーザ嗜好設定画面３１０の表示に追加して、「チームＡ  ｖｓ  チームＢ」等のコンテンツのタイトル３２１、「サッカー」等のコンテンツのジャンル３２２、コンテンツ要約作成部１３により作成された要約の合計再生時間を示す要約再生時間表示欄３２３、及びコンテンツ全体における要約として再生するシーンの位置を示す再生シーン表示欄３２４を設けている。この再生シーン表示欄３２４には、要約として再生するシーンの数を示すようにしてもよい。なお、タイトル３２１、ジャンル３２２、再生シーン表示欄３２４は省略してもよい。
【０１１６】
このユーザ嗜好設定画面３２０では、コンテンツ要約作成部１３による要約作成結果である要約再生時間や再生シーンの位置が一目で分かるので、ユーザは、実際に作成される要約の再生時間を確認しながら、キーワードの選択やキーワードに対する嗜好度、及び希望視聴時間に関する設定や変更等を容易に行うことができる。
【０１１７】
次に、第２の実施形態における特徴的な動作を説明する。ユーザ嗜好設定画面３２０を用いてユーザがキーワードの選択や、キーワードに対する嗜好度、希望視聴時間を変更した場合、ユーザ嗜好記述作成部１５では、ユーザ嗜好関連の情報の変更が発生した時点で、ユーザ嗜好記述２２ｘを書き換える。ユーザ嗜好記述２２ｘが書き換えられると、コンテンツ要約作成部１３は、更新されたユーザ嗜好記述２２ｘとコンテンツ記述２１ｘとを読み込み、図２１に示した要約作成処理を行い、要約作成テーブル２３を作成する。
【０１１８】
この際、ユーザ嗜好記述作成部１５では、コンテンツ要約作成部１３が作成または変更した要約作成テーブル２３のシーン優先度２３５、選択シーン２３６、シーン継続時間２３７から要約として再生するシーンの合計再生時間である要約再生時間を求め、ユーザ嗜好設定画面３２０の要約再生時間表示欄３２３に表示する。したがって、この要約再生時間表示欄３２３の時間表示は、ユーザ嗜好記述２２ｘの変更に応じて書き換えられる。
【０１１９】
そして、ユーザ嗜好設定画面３２０においてユーザの好みのキーワードや嗜好度の設定変更が完了すると、ユーザ嗜好設定画面３２０上の決定ボタン３１５を押すことにより、ユーザ嗜好記述２２ｘが確定される。この場合、ユーザ嗜好記述２２ｘに基づき作成された要約は、合計再生時間がユーザ嗜好設定画面３２０の要約再生時間表示欄３２３の表示時間であり、再生シーン表示欄３２４に示されるシーンが選択されたものとなる。
【０１２０】
上記のように、第２の実施形態では、ユーザ嗜好設定画面３２０にてユーザがキーワードの選択や嗜好度、希望視聴時間を変更した場合、コンテンツ要約作成部１３においてリアルタイムに要約作成テーブル２３を変更して、要約再生時間を算出し、ユーザ嗜好設定画面３２０の要約再生時間表示欄３２３に表示するようにしている。これにより、ユーザはユーザ嗜好設定画面３２０において要約再生時間を確認しながらキーワードやその嗜好度を変更することができ、要約再生時間の変化を簡単に認識することが可能となり、ユーザが要約を作成する際の使用勝手を向上させることができる。
【０１２１】
また、第２の実施形態では、ユーザ嗜好設定画面３２０において、再生シーン表示欄３２４に要約として再生されるシーンがコンテンツ全体のどのあたりであるか、あるいは再生されるシーンがいくつであるかを視覚的に表示するようにしたので、ユーザがユーザ嗜好の入力を行う際に、要約の再生シーンの位置、数や、その再生シーンの変化を簡単に認識することが可能となり、ユーザが要約を作成する際の使用勝手をさらに向上させることができる。
【０１２２】
（第３の実施形態）
第３の実施形態のコンテンツ視聴装置は、ユーザ嗜好設定画面において要約の再生時間を簡単に変更できるようにした例である。前述の第１及び第２の実施形態では、ユーザ嗜好設定画面においてユーザがキーワードの選択やキーワードの嗜好度等を変更することにより、要約として選択されるシーンが変更され、結果的に要約の再生時間が変化するようになっていた。これに対し、第３の実施形態では、ユーザ嗜好設定画面に要約時間変更ボタンを設けて、要約の再生時間を変更可能にする。
【０１２３】
図２６は、第３の実施形態におけるユーザ嗜好設定画面３３０の第１例を示す説明図である。第３の実施形態におけるユーザ嗜好設定画面３３０は、前述した第１の実施形態のユーザ嗜好設定画面３１０の表示に追加して、要約時間変更ボタン３３１を設けている。この要約時間変更ボタン３３１の入力操作によって、ユーザ嗜好設定画面３３０の選択欄３１１におけるキーワード２１２の選択や、嗜好度設定欄３１３における嗜好度の設定は変更せずに、要約作成テーブル２３の選択シーン２３６を変更して、要約の再生時間を変更可能となっている。
【０１２４】
図２７は、第３の実施形態におけるコンテンツ視聴装置の動作手順を示すフローチャートである。この図２７において、図１８に示した第１の実施形態と同様の処理には同一符号を付し、ここでは第３の実施形態に特有の処理を中心に説明する。
【０１２５】
まず、ステップＳ１０１〜Ｓ１０５におけるコンテンツ再生の初期画面の表示及びコンテンツの全体再生を行う場合の処理は、図１８に示した第１の実施形態と同様である。ステップＳ１０４においてユーザにより要約再生の再生モードが選択されたと判断した場合、コンテンツ要約作成部１３は、要約関連情報記憶部１２から対応するユーザ嗜好記述２２ｘを読み取り（ステップＳ１０６）、要約作成処理に移行する。この要約作成処理として、まず図２１のステップＳ２０１及びＳ２０２と同様にシーン重要度２３４の算出を行い（ステップＳ３０１）、続いて図２１のステップＳ２０３と同様にシーン優先度２３５の算出を行う（ステップＳ３０２）。そして、図２１のステップＳ２０４と同様に、ユーザが設定したユーザ嗜好記述２２ｘの希望視聴時間２２３ｘと算出したシーン優先度２３５とに基づき、希望視聴時間２２３ｘに近くなるようにシーン優先度２３５の高い順番にシーンを要約として選択し、要約作成テーブル２３を作成する（ステップＳ３０３）。
【０１２６】
次に、ユーザ嗜好記述作成処理として、まず、ユーザ嗜好記述作成部１５は、作成された要約作成テーブル２３に基づいて選択シーン２３６として選択されたシーンの合計再生時間を計算する（ステップＳ３０４）。なお、この合計再生時間の計算処理は、ユーザ嗜好設定画面に要約再生時間を表示する場合のみ行うようにしてもよい。続いて、コンテンツ記述２１ｘやユーザ嗜好記述２２ｘに基づき、ユーザ嗜好設定画面３３０の表示情報を作成し（ステップＳ３０５）、図２６に示すような要約時間変更ボタン３３１を有するユーザ嗜好設定画面３３０を情報表示部１６に表示する（ステップＳ３０６）。そして、ユーザ嗜好設定画面３３０を表示した状態で、ユーザによる情報入力部１７からの操作入力を受け付け、ユーザ嗜好情報の入力を行う（ステップＳ３０７）。ここでのユーザ嗜好の入力としては、第１の実施形態と同様、ユーザ嗜好設定画面３３０の選択欄３１１のチェックによる好みのキーワードの選択、嗜好度設定欄３１３のチェックによる各キーワードに対する嗜好度の設定、希望視聴時間設定欄３１４の入力による希望視聴時間の設定が含まれ、第３の実施形態ではこれに加えて、要約時間変更ボタン３３１による要約の再生時間の変更設定が含まれる。
【０１２７】
ユーザ嗜好設定画面３３０において、要約の再生時間を変更する場合は、要約時間変更ボタン３３１によって、再生時間を長くしたいときは上方向のボタンを、短くしたいときは下方向のボタンを押下することにより、要約の全体の再生時間が変更される。このとき、ユーザ嗜好記述作成部１５は、ユーザによる要約時間変更ボタン３３１の操作により、要約再生時間の延長指示があるか否か（ステップＳ３０８）、要約再生時間の短縮指示があるか否か（ステップＳ３０９）をそれぞれ判断する。
【０１２８】
ステップＳ３０８でユーザより要約再生時間の延長指示操作があった場合は、ユーザ嗜好記述作成部１５は、要約作成テーブル２３のシーン優先度２３５及び選択シーン２３６を参照して、現在選択されていないシーンの中で最も重要度の高いシーン、すなわち最もシーン優先度２３５の高いシーンを追加選択する（ステップＳ３１０）。具体的には、図２２に示す要約作成テーブル２３において、要約再生時間の延長指示があった場合は、シーン優先度２３５の順位に従って、シーン番号２，３のシーンに続いて、シーン番号４のシーンをさらに選択するようにする。そして、コンテンツ要約作成部１３により要約作成テーブル２３を更新する。その後、前述したステップＳ３０４の選択シーンの合計時間計算処理へ戻り、要約再生時間を再計算して、以降の処理を繰り返す。
【０１２９】
一方、ステップＳ３０８でユーザより要約再生時間の短縮指示操作があった場合は、ユーザ嗜好記述作成部１５は、要約作成テーブル２３のシーン優先度２３５及び選択シーン２３６を参照して、現在選択されているシーンの中で最も重要度の低いシーン、すなわち最もシーン優先度２３５の低いシーンを非選択にする（ステップＳ３１１）。具体的には、図２２に示す要約作成テーブル２３において、要約再生時間の短縮指示があった場合は、シーン優先度２３５の順位に従って、選択されているシーン番号２，３のシーンのうち、シーン番号３のシーンを要約として選択しないようにする。そして、コンテンツ要約作成部１３により要約作成テーブル２３を更新する。その後、前述したステップＳ３０４の選択シーンの合計時間計算処理へ戻り、要約再生時間を再計算して、以降の処理を繰り返す。
【０１３０】
図２８は、ユーザ嗜好設定画面３３０の第２例を示す説明図である。この第２例は、図２６に示した第１例の変形例であり、図２５に示した第２の実施形態のユーザ嗜好設定画面３２０と同様に要約再生時間表示欄３２３を設け、作成された要約の再生時間を表示可能としている。この場合、要約時間変更ボタン３３１の操作により要約再生時間の変更指示が行われると、要約作成テーブル２３に基づいてシーンの選択内容が変更されて変更後の要約再生時間が再計算され、要約再生時間表示欄３２３に表示される。これにより、ユーザ嗜好設定画面３３０においてユーザが要約時間変更ボタン３３１を操作して要約時間を変更した場合に、変更後の要約再生時間を容易に認識することが可能となり、ユーザにとって使用勝手が向上する。
【０１３１】
図２９は、ユーザ嗜好設定画面３３０の第３例を示す説明図である。この第３例は、図２６に示した第１例のさらなる変形例であり、図２５に示した第２の実施形態のユーザ嗜好設定画面３２０と同様に再生シーン表示欄３２４を設け、作成された要約において再生されるシーンがコンテンツ全体のどのあたりであるかを視覚的に表示可能としている。この場合、要約時間変更ボタン３３１の操作により要約再生時間の変更指示が行われると、要約作成テーブル２３に基づいてシーンの選択内容が変更されて変更後の再生シーンが再生シーン表示欄３２４に表示される。これにより、ユーザ嗜好設定画面３３０においてユーザが要約時間変更ボタン３３１を操作して要約時間を変更した場合に、変更後の再生シーンの位置を容易に認識することが可能となり、ユーザにとって使用勝手が向上する。
【０１３２】
そして、ユーザ嗜好記述作成部１５は、ユーザにより次頁ボタン３１６の押下操作がなされたかを判断する（ステップＳ３１２）。ここで、次頁ボタン３１６が操作された場合は、ステップＳ３０６のユーザ嗜好設定画面表示処理へ戻り、次頁のユーザ嗜好設定画面３３０を表示して同様の処理を繰り返す。一方、ステップＳ３１２において次頁ボタン３１６が操作されない場合は、続いて決定ボタン３１５の押下操作がなされたかを判断する（ステップＳ３１３）。ここで、決定ボタン３１５が操作されない場合は、ステップＳ３０７に戻り、決定ボタン３１５が操作されるまでユーザ嗜好情報の入力処理及び要約再生時間の変更処理を継続する。ステップＳ３１３において決定ボタン３１５が操作された場合は、ユーザ嗜好記述作成部１５はユーザによりユーザ嗜好の決定指示があったものと判断し、さらにユーザ嗜好情報の入力があったか否かを判断する（ステップＳ３１４）。
【０１３３】
ユーザ嗜好設定画面３３０においてキーワードの変更や嗜好度の変更などの入力操作がなされ、ステップＳ３１４においてユーザ嗜好情報の入力があったと判断された場合は、要約作成テーブル２３を更新する必要があるので、ユーザ嗜好記述作成部１５は、第１の実施形態と同様にステップＳ１１５で入力されたユーザ嗜好情報を基にユーザ嗜好記述２２ｘを作成し、要約関連情報記憶部１２に書き込んで記憶する。その後は、前述したステップＳ１０６のユーザ嗜好記述読み取り処理へ移行する。
【０１３４】
一方、ステップＳ３１４においてユーザ嗜好情報の入力がないと判断された場合は、要約作成テーブル２３を更新する必要が無いので、コンテンツ再生部１４は、以前に作成した要約作成テーブル２３による要約記述を使用して、コンテンツ記憶部１１に記憶されたコンテンツ１１１から要約として再生するシーンのデータを読み出し、選択されたシーンによる要約コンテンツの再生を行い（ステップＳ１０９）、処理を終了する。
【０１３５】
このように、ユーザ嗜好設定画面３３０によって要約再生時間の変更指示のみがあった場合には、要約作成テーブル２３を再作成することなく、以前に作成した要約作成テーブル２３の選択シーン２３６のみを変更して、コンテンツの要約の再生処理を行うことになる。このため、煩雑な処理を繰り返すことなく、簡単に要約の再生時間を増減させることができる。
【０１３６】
上述した第３の実施形態では、ユーザ嗜好設定画面３３０に要約時間変更ボタン３３１を設けて、要約時間変更ボタン３３１の操作により要約の再生時間の延長または短縮の指示をする場合は、再度シーン重要度やシーン優先度の計算等を行って要約作成テーブル２３を作成せずに、以前に作成した要約作成テーブル２３を用いて選択シーンを変更することで、要約の再生時間を変更するようにしている。これにより、コンテンツ要約作成部１３において処理の負担をかけることなく、簡単に要約の再生時間を変更して、コンテンツの要約の再生を行うことができる。
【０１３７】
（第４の実施形態）
第４の実施形態のコンテンツ視聴装置は、要約再生画面にてユーザが要約の再生時間を変更できるようにしたものである。第４の実施形態では、要約再生画面に第３の実施形態と同様な要約時間変更ボタンを設けて、要約の再生時間を変更可能にする。
【０１３８】
図３０は、第４の実施形態における要約再生画面の例を示す説明図である。第４の実施形態における要約再生画面５２０は、図２０（ａ），（ｂ）に示した要約再生画面５１０と同様の再生画面５１１、タイトル名５１２、操作パネル５１３に加えて、要約時間変更ボタン５２１と、要約再生時間表示欄５２２とを配置して表示したものである。なお、要約再生時間表示欄５２２は省略してもよい。
【０１３９】
この第４の実施形態では、コンテンツの要約再生画面５２０上で再生される要約を視聴しながら、要約時間変更ボタン５２１を操作することにより、第３の実施形態のユーザ嗜好設定画面３３０における場合と同様の処理が行われる。このため、要約再生画面５２０によって要約再生時間の変更指示があった場合には、要約作成テーブル２３を再作成することなく、以前に作成した要約作成テーブル２３の選択シーンの数を変更することによって要約の再生時間を変更し、コンテンツの再生処理を行うことになる。このため、第３の実施形態と同様、煩雑な処理を繰り返すことなく、ユーザが要約再生画面を見ながら簡単に要約の再生時間を増減させることができ、容易な操作で要約の再生が可能となる。
【０１４０】
また、要約再生時間表示欄５２２を設けた場合には、要約時間変更ボタン５２１の操作により要約再生時間の変更指示が行われると、要約作成テーブル２３に基づいてシーンの選択内容が変更されて変更後の要約再生時間が再計算され、要約再生時間表示欄５２２に表示される。
【０１４１】
したがって、第４の実施形態によれば、要約再生画面５２０に要約時間変更ボタン５２１を設けることにより、ユーザがコンテンツの要約再生画面５２０においてコンテンツの要約を視聴しながら、要約時間変更ボタン５２１の操作によって簡単に要約の再生時間を変更することが可能となり、ユーザの使用勝手が向上する。
【０１４２】
（第５の実施形態）
第５の実施形態のコンテンツ視聴装置は、ネットワークを介したサーバ−クライアント型の構成としたものである。
【０１４３】
図３１は、本発明の第５の実施形態に係るコンテンツ視聴装置の構成を示すブロック図である。コンテンツ視聴装置は、端末３０とコンテンツ配信サーバ５０とがネットワーク４０を介して接続されて構成される。端末３０は、図では１つのみ示しているが、複数設けられていてもよい。
【０１４４】
端末３０は、データ通信機能を有する携帯情報端末（ＰＤＡ）、携帯電話機、パーソナルコンピュータ（ＰＣ）などで構成され、情報送信部３１、情報受信部３２、情報表示部３３、情報入力部３４、コンテンツ再生部３５等を有している。コンテンツ配信サーバ５０は、情報送信部５６、情報受信部５７、コンテンツ記憶部５１、要約関連情報記憶部５２、コンテンツ要約作成部５３、コンテンツ読取部５４、ユーザ嗜好記述作成部５５等を有して構成される。コンテンツ記憶部５１には、マルチメディアデータによるコンテンツ１１１が記憶され、要約関連情報記憶部５２には、コンテンツ記述２１、ユーザ嗜好記述２２、要約作成テーブル２３が記憶されるようになっている。
【０１４５】
つまり、第５の実施形態の端末３０における情報表示部３３、情報入力部３４、コンテンツ再生部３５が、それぞれ図１に示す第１の実施形態における情報表示部１６、情報入力部１７、コンテンツ再生部１４に対応している。また、コンテンツ配信サーバ５０におけるコンテンツ記憶部５１、要約関連情報記憶部５２、コンテンツ要約作成部５３、ユーザ嗜好記述作成部５５が、それぞれ図１に示す第１の実施形態におけるコンテンツ記憶部１１、要約関連情報記憶部１２、コンテンツ要約作成部１３、ユーザ嗜好記述作成部１５に対応している。
【０１４６】
次に、第５の実施形態のコンテンツ視聴装置における動作を説明する。なお、この第５の実施形態に係るコンテンツ配信サーバ５０及び端末３０の動作は、ネットワーク４０を介してサーバ−クライアント間通信による行う点を除いては、実質的には図１に示す第１の実施形態のコンテンツ視聴装置の動作とほぼ同じである。
【０１４７】
端末３０では、コンテンツ配信サーバ５０からコンテンツ１１１をダウンロードして再生する場合、情報送信部３１によりネットワーク４０を介してコンテンツ配信サーバ５０へコンテンツのダウンロードの要求を送信する。コンテンツ配信サーバ５０では、情報受信部５７により端末３０からの要求を受け取り、コンテンツ読取部５４により要約関連情報記憶部５２からコンテンツ記述２１を読み取り、情報送信部５６から端末３０へ送信する。そして、端末３０では、情報受信部３２によりコンテンツ記述２１を受け取ると、コンテンツ再生部３５によりコンテンツ再生の初期画面を情報表示部３３に出力して表示する。
【０１４８】
端末３０のユーザは、初期画面においてコンテンツ全体の再生か、あるいは要約の再生かを情報入力部３４を用いて選択する。そして、情報入力部３４からの操作入力による選択指示情報を情報送信部３１よりネットワーク４０を介してコンテンツ配信サーバ５０へ送信する。
【０１４９】
コンテンツ配信サーバ５０では、端末３０からの指示がコンテンツ全体の再生であれば、コンテンツ読取部５４によりコンテンツ記憶部５１からコンテンツ１１１を読み出して、情報送信部５６より端末３０へ送信する。一方、端末３０からの指示が要約の再生であれば、ユーザ嗜好記述作成部５５により要約関連情報記憶部５２からユーザ嗜好記述２２を読み取り、コンテンツ要約作成部５３によってコンテンツ記述２１とユーザ嗜好記述２２とから要約作成テーブル２３を作成する。このとき、ユーザ嗜好記述作成部５５及びコンテンツ要約作成部５３の動作は、前述した第１の実施形態と同様である。
【０１５０】
ここで、要約作成テーブル２３による要約記述の情報が無い場合や要約が所定時間に満たない場合、あるいはユーザからの操作指示があった場合などに、ユーザ嗜好の入力、設定変更等を行う際は、ユーザ嗜好記述作成部５５によりユーザ嗜好設定画面を生成して情報送信部５６より端末３０へ送信する。端末３０では、コンテンツ配信サーバ５０から送られたユーザ嗜好設定画面を情報表示部３３に出力して表示する。そして、ユーザはこのユーザ嗜好設定画面においてユーザ嗜好の入力操作を行う。コンテンツ配信サーバ５０では、端末３０からの入力情報に応じてユーザ嗜好記述作成部５５によりユーザ嗜好記述２２の作成、変更を行い、要約関連情報記憶部５２に格納する。
【０１５１】
そして、コンテンツ配信サーバ５０のコンテンツ要約作成部５３により、要約作成テーブル２３を基に要約記述を作成し、この要約記述によって選択されたシーンのコンテンツ１１１をコンテンツ記憶部５１から読み出して、情報送信部５６より端末３０へ送信する。
【０１５２】
端末３０では、コンテンツ配信サーバ５０から送られた全体または要約のコンテンツ１１１を情報受信部３２で受け取ると、これをコンテンツ再生部３５に転送し、コンテンツ再生部３５によりコンテンツの再生処理を行い、情報表示部３３に出力する。これにより、情報表示部３３にはコンテンツ再生画面が表示され、コンテンツの全体または要約が再生される。
【０１５３】
なお、コンテンツ配信サーバ５０及び端末３０によるコンテンツ視聴装置の各部の配置構成や動作内容は、上記に限るものではなく、サーバ主体での動作、端末主体での動作など、各種変形例が考えられる。また、サーバを機能毎に複数設けることも可能である。
【０１５４】
この第５の実施形態では、サーバ−クライアント型の構成とすることによって、処理を分散化でき、各装置における処理の負担を軽減することができ、また、処理用のプログラムの量やハードウェア構成も簡略化することができる。
【０１５５】
また、端末３０を複数設けた場合は、コンテンツ配信サーバ５０において複数の端末３０からの指示入力によるユーザ嗜好情報を集めて、複数ユーザのユーザ嗜好記述を記憶することもでき、多数のユーザにおけるコンテンツに対するユーザ嗜好を集中的に管理して認識することができる。なお、一つの端末の場合や一体のコンテンツ視聴装置であっても複数ユーザに対応してユーザ嗜好記述を扱うことも可能である。
【０１５６】
また、ユーザが端末を買い換えたり、新たに端末を買い足す等、新規の端末を使用する場合に、コンテンツ配信サーバに記憶しているユーザ嗜好記述を用いることによって、簡単に今までのユーザ嗜好記述を移行して新規の端末で利用することも可能である。
【産業上の利用可能性】
【０１５７】
本発明は、簡易な操作によって、ユーザ嗜好に基づく最適な要約を容易に作成や変更等することが可能となる効果を有し、配信された映像や音声などの時間軸方向の広がりを持つマルチメディアコンテンツからユーザの嗜好に応じた要約を作成し、コンテンツの再生を行うコンテンツ視聴装置等に有用である。
【図面の簡単な説明】
【０１５８】
【図１】本発明の第１の実施形態に係るコンテンツ視聴装置の構成を示すブロック図
【図２】本実施形態における要約関連情報記憶部に記憶されるコンテンツ記述の第１例を示す説明図
【図３】本実施形態におけるコンテンツ記述の第２例を示す説明図
【図４】本実施形態のコンテンツに関するＭＰＥＧ−７規格に基づいたＸＭＬによるコンテンツ記述の例を示す図
【図５】本実施形態のコンテンツに関するＭＰＥＧ−７規格に基づいたＸＭＬによるコンテンツ記述の例を示す図
【図６】本実施形態のコンテンツにおけるシーン番号０のシーンに関するＸＭＬによるコンテンツ記述の例を示す図
【図７】本実施形態のコンテンツにおけるシーン番号１のシーンに関するＸＭＬによるコンテンツ記述の例を示す図
【図８】本実施形態のコンテンツにおけるシーン番号２のシーンに関するＸＭＬによるコンテンツ記述の例を示す図
【図９】本実施形態のコンテンツにおけるシーン番号３のシーンに関するＸＭＬによるコンテンツ記述の例を示す図
【図１０】本実施形態のコンテンツにおけるシーン番号４のシーンに関するＸＭＬによるコンテンツ記述の例を示す図
【図１１】本実施形態における要約関連情報記憶部に記憶されるユーザ嗜好記述の第１例を示す説明図
【図１２】本実施形態におけるユーザ嗜好記述の第２例を示す説明図
【図１３】本実施形態の第１例及び第２例のユーザ嗜好に関するＭＰＥＧ−７規格に基づいたＸＭＬによるユーザ嗜好記述の例を示す図
【図１４】本実施形態におけるユーザ嗜好記述の第３例を示す説明図
【図１５】本実施形態におけるユーザ嗜好記述の第４例を示す説明図
【図１６】本実施形態の第３例及び第４例のユーザ嗜好に関するＭＰＥＧ−７規格に基づいたＸＭＬによるユーザ嗜好記述の例を示す図
【図１７】第１の実施形態におけるユーザ嗜好設定画面の第１例を示す説明図
【図１８】第１の実施形態におけるコンテンツ視聴装置の動作手順を示すフローチャート
【図１９】コンテンツ再生動作開始時に情報表示部に表示される初期画面の一例を示す説明図
【図２０】要約再生時に再生情報表示部に表示されるコンテンツの要約再生画面の一例を示す図
【図２１】第１の実施形態における要約作成処理の詳細な処理内容を示すフローチャート
【図２２】要約作成処理により作成され要約関連情報記憶部に記憶される要約作成テーブルの一例を示す図
【図２３】本実施形態における要約作成テーブルに対する要約記述の一例を示す図
【図２４】第１の実施形態におけるユーザ嗜好設定画面の第２例を示す説明図
【図２５】第２の実施形態のコンテンツ視聴装置におけるユーザ嗜好設定画面の例を示す説明図
【図２６】第３の実施形態におけるユーザ嗜好設定画面の第１例を示す説明図
【図２７】第３の実施形態におけるコンテンツ視聴装置の動作手順を示すフローチャート
【図２８】第３の実施形態におけるユーザ嗜好設定画面の第２例を示す説明図
【図２９】第３の実施形態におけるユーザ嗜好設定画面の第３例を示す説明図
【図３０】第４の実施形態における要約再生画面の例を示す説明図
【図３１】本発明の第５の実施形態に係るコンテンツ視聴装置の構成を示すブロック図
【符号の説明】
【０１５９】
１０  コンテンツ視聴装置
１１  コンテンツ記憶部
１１１  コンテンツ
１２  要約関連情報記憶部
１３  コンテンツ要約作成部
１４  コンテンツ再生部
１５  ユーザ嗜好記述作成部
１６  情報表示部
１７  情報入力部
２１  コンテンツ記述
２１２  キーワード（観点）
２１５  重要度
２２  ユーザ嗜好記述
２２１  キーワード（観点）
２２２，２２４  嗜好度
２２３  希望視聴時間
２３  要約作成テーブル
２３２  キーワード
２３３  合致度
２３４  シーン重要度
２３５  シーン優先度
２３６  選択シーン
２５  要約記述
３１０，３３０  ユーザ嗜好設定画面
３１１  選択欄
３１２  キーワード表示欄
３１３  嗜好度設定欄
３１４  希望視聴時間設定欄
３１５  決定ボタン
３１６  次頁ボタン
３２３  要約再生時間表示欄
３２４  再生シーン表示欄
３３１  要約時間変更ボタン
４１０  初期画面
４１１  全体再生ボタン
４１２  要約再生ボタン
５１０  要約再生画面
５１１  再生画面
【図１】
2005242417.tif 000003
【図２】
2005242417.tif 000004
【図３】
2005242417.tif 000005
【図４】
2005242417.tif 000006
【図５】
2005242417.tif 000007
【図６】
2005242417.tif 000008
【図７】
2005242417.tif 000009
【図８】
2005242417.tif 000010
【図９】
2005242417.tif 000011
【図１０】
2005242417.tif 000012
【図１１】
2005242417.tif 000013
【図１２】
2005242417.tif 000014
【図１３】
2005242417.tif 000015
【図１４】
2005242417.tif 000016
【図１５】
2005242417.tif 000017
【図１６】
2005242417.tif 000018
【図１７】
2005242417.tif 000019
【図１８】
2005242417.tif 000020
【図１９】
2005242417.tif 000021
【図２０】
2005242417.tif 000022
【図２１】
2005242417.tif 000023
【図２２】
2005242417.tif 000024
【図２３】
2005242417.tif 000025
【図２４】
2005242417.tif 000026
【図２５】
2005242417.tif 000027
【図２６】
2005242417.tif 000028
【図２７】
2005242417.tif 000029
【図２８】
2005242417.tif 000030
【図２９】
2005242417.tif 000031
【図３０】
2005242417.tif 000032
【図３１】
2005242417.tif 000033